(57)【要約】【課題】  ハーネスの固定作業性を向上させることができるハーネス用プロテクタを提供する。【解決手段】  ハーネス用プロテクタ１は、ハーネス１０を挿通させるプロテクタ本体２と、プロテクタ本体２に挿通されたハーネス１０をプロテクタ本体２の一端部２１の底壁２２を介して結束するバンド３とを備えている。プロテクタ本体２は前後に延在して形成されているとともに、ハーネス１０が長さ方向Ａに挿通可能となるように上側が開口した断面コ字状に形成されている。そしてプロテクタ本体２の一端部２１の底壁２２には、挿通されるハーネス１０を挟んで相対向する位置に、バンド３を底壁２２の幅方向２２ａで挿通させる一対のスリット４、４が設けられており、このスリット４、４は、底壁２２の一端２３から他端側へ延出して形成されている。【選択図】    図２
2006136118.tif 000002
【特許請求の範囲】
【請求項１】
前後に延在して長さ方向にハーネスが挿通可能に形成されたプロテクタ本体と、
このプロテクタ本体に挿通された前記ハーネスをこのプロテクタ本体の一端部の一方側を介して結束する結束部材とを備え、
前記プロテクタ本体の一端部の一方側には、挿通される前記ハーネスを挟んで相対向する位置に、前記結束部材を前記一方側の幅方向で挿通させる一対のスリットが設けられ、この一対のスリットは、前記一方側の一端から他端側へ延出して形成されたことを特徴とするハーネス用プロテクタ。
【請求項２】
前記一対のスリットは、他端側の内幅が一端側の内幅よりも狭くなるように形成されたことを特徴とする請求項１記載のハーネス用プロテクタ。
【請求項３】
前記一対のスリットは、他端側の内幅が一端側の内幅よりも狭くなるようにハ字状に形成されたことを特徴とする請求項２記載のハーネス用プロテクタ。
【請求項４】
前記一対のスリットは、前記プロテクタ本体の前記一方側の一端から他端側へ前記プロテクタ本体の長さ方向に沿って延出して形成されたことを特徴とする請求項１または２記載のハーネス用プロテクタ。
【発明の詳細な説明】
【技術分野】
【０００１】
本発明は、ハーネスを保護するハーネス用プロテクタに関する。
【背景技術】
【０００２】
従来、例えば車内に配索されるハーネスを保護するためにハーネス用プロテクタが使用されている（特許文献１参照）。このハーネス用プロテクタは、ハーネスを挿通させるプロテクタ本体と、プロテクタ本体に挿通されたハーネスをプロテクタ本体の一端部を介して結束するバンドとを備えている。
【０００３】
プロテクタ本体は前後に延在して形成されているとともにハーネスが長さ方向に挿通可能に形成されている。そしてプロテクタ本体の一端部の底壁には、挿通されるハーネスを挟んで相対向する位置に、バンドを底壁の幅方向で挿通させる一対の挿通孔が設けられている。
【０００４】
そしてこのハーネス用プロテクタを使用するには、まずプロテクタ本体の両挿通孔にバンドの両端部をそれぞれ外側から挿通させてプロテクタ本体の一端部内にバンドの一部を抜き出した後、ハーネスをプロテクタ本体に挿通させる。
【０００５】
次に、挿通されたハーネスにプロテクタ本体内にあるバンドを巻いてハーネスを束ねた後、係止部材をバンドの両端から通し、バンドの両端部を持ちながら係止部材を締め方向へ動かして係止させることでハーネスを締める。この結果、バンドを介してハーネスがハーネス用プロテクタの底壁に固定され、ハーネスの保護性が高められている。
【特許文献１】特開平８−３３１５６号公報
【発明の開示】
【発明が解決しようとする課題】
【０００６】
しかしながら、このようなハーネス用プロテクタにおいては、ハーネスを固定する際に、プロテクタ本体の両挿通孔を狙ってバンドを挿通させるため、バンドの挿通作業が難しい。したがってハーネスの固定作業性が良くなかった。
【０００７】
本発明は、かかる従来の課題に鑑みてなされたものであり、ハーネスの固定作業性を向上させることができるハーネス用プロテクタを提供することを目的とする。
【課題を解決するための手段】
【０００８】
前記課題を解決するために本発明の請求項１記載のハーネス用プロテクタにおいては、前後に延在して長さ方向にハーネスが挿通可能に形成されたプロテクタ本体と、このプロテクタ本体に挿通された前記ハーネスをこのプロテクタ本体の一端部の一方側を介して結束する結束部材とを備え、前記プロテクタ本体の一端部の一方側には、挿通される前記ハーネスを挟んで相対向する位置に、前記結束部材を前記一方側の幅方向で挿通させる一対のスリットが設けられ、この一対のスリットは、前記一方側の一端から他端側へ延出して形成されたものとしている。
【０００９】
かかる構成においてハーネスを固定する際には、プロテクタ本体に挿通されたハーネスの一端側に仮締めした結束部材を他端側へ移動させていくと、結束部材はハーネスに案内されながら一対のスリットに一端側から挿入されることにより挿通されるため、結束部材の挿通作業が容易になる。
【００１０】
また請求項２記載のハーネス用プロテクタにおいては、前記一対のスリットは、他端側の内幅が一端側の内幅よりも狭くなるように形成されたものとしている。
【００１１】
かかる構成においては、結束部材をスリットの他端側で挿通させると結束部材とハーネスとの距離が近くなるため、ハーネスを確実に本締めすることができる。そしてハーネスを本締めした結束部材の締め幅はスリットの一端側の内幅よりも狭くなるため、本締めした結束部材がハーネスから抜けるのを防ぐことができる。
【００１２】
また請求項３記載のハーネス用プロテクタにおいては、前記一対のスリットは、他端側の内幅が一端側の内幅よりも狭くなるようにハ字状に形成されたものとしている。
【００１３】
かかる構成においては、スリットが簡単な形状でもハーネスを確実に本締めすることができ、本締めした結束部材がハーネスから抜けるのを防ぐこともできる。
【００１４】
また請求項４記載のハーネス用プロテクタにおいては、前記一対のスリットは、前記プロテクタ本体の前記一方側の一端から他端側へ前記プロテクタ本体の長さ方向に沿って延出して形成されたものとしている。
【００１５】
かかる構成においては、ハーネスを仮締めした結束部材を移動させる方向とスリットの延出方向とが同じ方向になるため、結束部材をスリットに容易に挿入することができる。
【発明の効果】
【００１６】
以上説明したように本発明の請求項１記載のハーネス用プロテクタにおいては、プロテクタ本体に挿通されたハーネスの一端側に仮締めした結束部材を他端側へ移動させていくと、結束部材はハーネスに案内されながら一対のスリットに一端側から挿入されることにより挿通されるため、結束部材の挿通作業が容易になる。よって、ハーネスの固定作業性を向上させることができる。
【００１７】
また請求項２記載のハーネス用プロテクタにおいては、結束部材をスリットの他端側で挿通させると結束部材とハーネスとの距離が近くなるため、ハーネスを確実に本締めすることができる。よって、ハーネスの固定作業性をさらに向上させることができる。
【００１８】
そしてハーネスを本締めした結束部材の締め幅はスリットの一端側の内幅よりも狭くなるため、本締めした結束部材がハーネスから抜けるのを防ぐことができる。よって、ハーネスの固定性を高めることができる。
【００１９】
また請求項３記載のハーネス用プロテクタにおいては、スリットが簡単な形状でもハーネスを確実に本締めすることができ、本締めした結束部材がハーネスから抜けるのを防ぐこともできる。よって、製造コストを抑えてハーネスの固定作業性をさらに向上させるとともにハーネスの固定性を高めることができる。
【００２０】
また請求項４記載のハーネス用プロテクタにおいては、ハーネスを仮締めした結束部材を移動させる方向とスリットの延出方向とが同じ方向になるため、結束部材をスリットに容易に挿入することができる。よって、ハーネスの固定作業性をさらに向上させることができる。
【発明を実施するための最良の形態】
【００２１】
以下、本発明の実施の形態を図にしたがって説明する。
【００２２】
図１は本発明の第１の実施の形態を示すハーネス用プロテクタ１の斜視図である。このハーネス用プロテクタ１は、ハーネス１０を挿通させるプロテクタ本体２と、プロテクタ本体２に挿通されたハーネス１０をプロテクタ本体２の一端部２１の底壁２２を介して結束する本発明の結束部材であるバンド３とを備えている。
【００２３】
プロテクタ本体２は前後に延在して形成されているとともに、ハーネス１０が長さ方向Ａに挿通可能となるように上側が開口した断面コ字状に形成されている。そしてプロテクタ本体２の一端部２１の底壁２２には、図２にも示すように挿通されるハーネス１０を挟んで相対向する位置に、バンド３を底壁２２の幅方向２２ａで挿通させる一対のスリット４、４が設けられている。
【００２４】
このスリット４、４は、プロテクタ本体２の底壁２２の一端２３から他端側へプロテクタ本体２の長さ方向Ａに沿って延出して形成されている。また、このスリット４、４は一端２３側から他端側へ向けてそれぞれ相対向する逆Ｌ字状に形成されており、一端２３から他端側へプロテクタ本体２の長さ方向Ａに沿って延出した一対の延出部４１、４１と、両延出部４１、４１の他端側から相対向するように突出した一対の突出部４２、４２とから構成されている。
【００２５】
一方、バンド３は、帯状のバンド本体３１と、バンド本体３１の両端側から通されてバンド本体３１に係止する係止部材３２とから構成されている。
【００２６】
かかる構成においてハーネス用プロテクタ１にハーネス１０を固定するには、図１の二点鎖線で示すように、まず、ハーネス１０の一端側にバンド本体３１を巻いてハーネスを束ねた後、係止部材３２をバンド本体３１の両端から通し、バンド本体３１の両端部を持ちながら係止部材３２を締め方向へ少し動かして係止させることによりハーネス１０を仮締めする。
【００２７】
次に、ハーネス１０を他端側からプロテクタ本体２の一端側に挿入してプロテクタ本体２に挿通させた後、仮締めしておいたバンド３を他端側（図１の矢印Ｂ方向）へ移動させることにより、スリット４、４に一端側から挿入して挿通させる。
【００２８】
最後に、バンド本体３１の両端部を持ちながら係止部材３２を締め方向に限界まで動かして係止させることによりハーネス１０を本締めする。この結果、ハーネス１０がバンド３を介してハーネスプロテクタ１の底壁２２に固定される。
【００２９】
そしてこのハーネス１０の固定作業においては、プロテクタ本体２に挿通されたハーネス１０の一端側に仮締めしたバンド３を他端側へ移動させていくと、バンド３はハーネス１０に案内されながらスリット４、４に一端側から挿入されることにより挿通される。
【００３０】
このため、従来のように一対の挿通穴にバンド３を狙って挿通させる場合に比べてバンド３の挿通作業が容易になる。よって、本実施の形態のハーネス用プロテクタ１においては、ハーネス１０の固定作業性を向上させることができる。
【００３１】
またスリット４、４は、プロテクタ本体２の一端２３から他端側へプロテクタ本体２の長さ方向Ａに沿って延出して形成されている。したがって、ハーネス１０を仮締めしたバンド３を移動させる方向とスリット４、４の延出方向とが同じ方向Ｂになるため、バンド３をスリット４、４に容易に挿入することができる。よって、本実施の形態のハーネス用プロテクタ１においては、ハーネス１０の固定作業性をさらに向上させることができる。
【００３２】
またこのスリット４、４は、延出部４１、４１と突出部４２、４２が直線状に形成されていることから図２に示すように、スリット４、４の他端側の内幅である突出部４２、４２の内幅４ａが、スリット４、４の一端側の内幅である延出部４１、４１の一端側の内幅４ｂよりも狭くなっている。
【００３３】
したがって、バンド３をスリット４、４の他端側で挿通させるとバンド３とハーネス１０との距離が近くなるため、ハーネス１０を確実に本締めすることができる。よって、本実施の形態のハーネス用プロテクタ１においては、ハーネス１０の固定作業性をさらに向上させることができる。
【００３４】
そしてハーネス１０を本締めしたバンド３の締め幅３ａはスリット４、４の一端側の内幅４ｂよりも狭くなるため、本締めしたバンド３がハーネス１０から抜けるのを防ぐことができる。よって、本実施の形態のハーネス用プロテクタ１においては、ハーネス１０の固定能力を高めることができる。
【００３５】
図３は本発明の第２の実施の形態を示すハーネス用プロテクタ１０１の一端側の平面図である。なお第１の実施の形態と同様の箇所には同じ符号を付している。このハーネス用プロテクタ１０１のプロテクタ本体１０２は前後に延在して形成されているとともに、ハーネス１０が長さ方向Ａに挿通可能なように上側が開口した断面コ字状に形成されている。
【００３６】
そしてプロテクタ本体１０２の一端部１２１の底壁１２２には、挿通されるハーネス１０を挟んで相対向する位置に、バンド３を底壁１２２の幅方向１２２ａで挿通させる一対のスリット１０４、１０４が設けられている。
【００３７】
このスリット１０４、１０４は、プロテクタ本体１０２の底壁１２２の一端１２３から他端側へプロテクタ本体１０２の長さ方向Ａに沿って延出して形成されている。
【００３８】
さらに、このスリット１０４、１０４は、他端側の内幅１０４ａが一端側の内幅１０４ｂよりも狭くなるように、スリット１０４、１０４を構成している内側の側縁１４１、１４１が一端側から他端側へ向けて内側へ湾曲して形成されている。
【００３９】
かかる構成においてハーネス１０を固定する際には、プロテクタ本体１０２に挿通されたハーネス１０の一端側に仮締めしたバンド３を他端側へ移動させていくと、バンド３はハーネス１０に案内されながらスリット１０４、１０４に一端側から挿入されることにより挿通される。
【００４０】
このため、従来のように一対の挿通穴にバンド３を狙って挿通させる場合に比べてバンド３の挿通作業が容易になる。よって、本実施の形態のハーネス用プロテクタ１０１においては、ハーネス１０の固定作業性を向上させることができる。
【００４１】
また、スリット１０４、１０４はプロテクタ本体１０２の一端１２３から他端側へプロテクタ本体１０２の長さ方向Ａに沿って延出して形成されている。したがって、ハーネス１０を仮締めしたバンド３を移動させる方向とスリット１０４、１０４の延出方向とが同じ方向Ｂになるため、バンド３をスリット１０４、１０４に容易に挿入することができる。よって、本実施の形態のハーネス用プロテクタ１０１においては、ハーネス１０の固定作業性をさらに向上させることができる。
【００４２】
またこのスリット１０４、１０４は、他端側の内幅１０４ａが一端側の内幅１０４ｂよりも狭くなるように形成されている。したがって、図３に示すようにバンド３をスリット１０４、１０４の他端側で挿通させるとバンド３とハーネス１０との距離が近くなるため、ハーネス１０を確実に本締めすることができる。よって、本実施の形態のハーネス用プロテクタ１０１においては、ハーネス１０の固定作業性をさらに向上させることができる。
【００４３】
そしてハーネス１０を本締めしたバンド３の締め幅３ｂはスリット１０４、１０４の一端側の内幅１０４ｂよりも狭くなるため、本締めしたバンド３がハーネス１０から抜けるのを防ぐことができる。よって、本実施の形態のハーネス用プロテクタ１０１においては、ハーネス１０の固定性を高めることができる。
【００４４】
図４は、本発明の第３の実施の形態を示すハーネス用プロテクタ２０１の一端側の平面図である。なお第１の実施の形態と同様の箇所には同じ符号を付している。このハーネス用プロテクタ２０１のプロテクタ本体２０２は前後に延在して形成されているとともに、ハーネス１０が長さ方向Ａに挿通可能なように上側が開口した断面コ字状に形成されている。
【００４５】
そしてプロテクタ本体２０２の一端部２２１の底壁２２２には、挿通されるハーネス１０を挟んで相対向する位置に、バンド３を底壁２２２の幅方向２２２ａで挿通させる一対のスリット２０４、２０４が設けられている。
【００４６】
このスリット２０４、２０４は、他端側の内幅２０４ａが一端側の内幅２０４ｂよりも狭くなるように一端２３側から他端側へ向けてハ字状に形成されている。
【００４７】
かかる構成においてハーネス１０を固定する際には、プロテクタ本体２０２に挿通されたハーネス１０の一端側に仮締めしたバンド３を他端側へ移動させていくと、バンド３はハーネス１０に案内されながらスリット２０４、２０４に一端側から挿入されることにより挿通される。
【００４８】
このため、従来のように一対の挿通穴にバンド３を狙って挿通させる場合に比べてバンド３の挿通作業が容易になる。よって、本実施の形態のハーネス用プロテクタ２０１においては、ハーネス１０の固定作業性を向上させることができる。
【００４９】
またスリット２０４、２０４は、他端側の内幅２０４ａが一端側の内幅２０４ｂよりも狭くなるように形成されている。したがって、図４に示すようにバンド３をスリット２０４、２０４の他端側で挿通させると、バンド３とハーネス１０との距離が近くなるため、スリット２０４、２０４がハ字状のような簡単な形状でも、ハーネス１０を確実に本締めすることができる。よって、本実施の形態のハーネス用プロテクタ２０１においては、製造コストを抑えてハーネス１０の固定作業性をさらに向上させることができる。
【００５０】
そしてハーネス１０を本締めしたバンド３の締め幅３ｃはスリット２０４、２０４の一端側の内幅２０４ｂよりも狭くなるため、スリット２０４、２０４がハ字状のような簡単な形状でも、本締めしたバンド３がハーネス１０から抜けるのを防ぐことができる。よって、本実施の形態のハーネス用プロテクタ２０１においては、製造コストを抑えてハーネス１０の固定性を高めることができる。
【００５１】
図５は、本発明の第４の実施の形態を示すハーネス用プロテクタ３０１の一端側の平面図である。なお第１の実施の形態と同様の箇所には同じ符号を付している。このハーネス用プロテクタ３０１のプロテクタ本体３０２は前後に延在して形成されているとともに、ハーネス１０が長さ方向Ａに挿通可能なように前後に延在して上側が開口した断面コ字状に形成されている。
【００５２】
そしてプロテクタ本体３０２の一端部３２１の底壁３２２には、挿通されるハーネス１０を挟んで相対向する位置に、バンド３を底壁３２２の幅方向３２２ａで挿通させる一対のスリット３０４、３０４が設けられている。
【００５３】
このスリット３０４、３０４は、プロテクタ本体１０２の底壁１２２の一端１２３から他端側へプロテクタ本体３０２の長さ方向Ａに沿って直線状に延出して形成されている。
【００５４】
かかる構成においてハーネス１０を固定する際には、プロテクタ本体３０２に挿通されたハーネス１０の一端側に仮締めしたバンド３を他端側へ移動させていくと、バンド３はハーネス１０に案内されながらスリット３０４、３０４に一端側から挿入されることにより挿通される。
【００５５】
このため、従来のように一対の挿通穴にバンド３を狙って挿通させる場合に比べてバンド３の挿通作業が容易になる。よって、本実施の形態のハーネス用プロテクタ３０１においては、ハーネス１０の固定作業性を向上させることができる。
【００５６】
またこのスリット３０４、３０４は、プロテクタ本体３０２の長さ方向Ａに沿って延出して形成されている。したがって、ハーネス１０を仮締めしたバンド３を移動させる方向とスリット３０４、３０４の延出方向とが同じ方向Ｂになるため、バンド３をスリット３０４、３０４に容易に挿入することができる。よって、本実施の形態のハーネス用プロテクタ３０１においては、ハーネス１０の固定作業性をさらに向上させることができる。
【００５７】
なお各実施の形態では、プロテクタ本体を上側が開口した断面コ字状のものとしたがこのような形状に限定しなくても良く、前後に延在してハーネスが長さ方向に挿通可能な形状であれば良い。またスリットの設置位置はプロテクタ本体の一端部の一方側であれば良く、各実施の形態で説明した底壁の他に右側壁や左側壁でも良い。
【図面の簡単な説明】
【００５８】
【図１】本発明の第１の実施の形態を示すハーネス用プロテクタの斜視図である。
【図２】ハーネス用プロテクタの一端側の平面図である。
【図３】本発明の第２の実施の形態を示すハーネス用プロテクタの一端側の平面図である。
【図４】本発明の第３の実施の形態を示すハーネス用プロテクタの一端側の平面図である。
【図５】本発明の第４の実施の形態を示すハーネス用プロテクタの一端側の平面図である。
【符号の説明】
【００５９】
１    ハーネス用プロテクタ
２    プロテクタ本体
３    バンド
４    スリット
４ａ    他端側の内幅
４ｂ    一端側の内幅
１０    ハーネス
２１    一端部
２２    底壁
２２ａ    底壁の幅方向
２３    一端
１０１    ハーネス用プロテクタ
１０２    プロテクタ本体
１０４    スリット
１０４ａ    他端側の内幅
１０４ｂ    一端側の内幅
１２１    一端部
１２２    底壁
１２２ａ    底壁の幅方向
１２３    一端
２０１    ハーネス用プロテクタ
２０２    プロテクタ本体
２０４    スリット
２０４ａ    他端側の内幅
２０４ｂ    一端側の内幅  
２２１    一端部
２２２    底壁
２２２ａ    底壁の幅方向
２２３    一端
３０１    ハーネス用プロテクタ
３０２    プロテクタ本体
３０４    スリット
３２１    一端部
３２２    底壁
３２２ａ    底壁の幅方向
３２３    一端
Ａ    プロテクタ本体の長さ方向
【図１】
2006136118.tif 000003
【図２】
2006136118.tif 000004
【図３】
2006136118.tif 000005
【図４】
2006136118.tif 000006
【図５】
2006136118.tif 000007